(57)【要約】【課題】脱力した状態の膝関節周りに刺激を与えるために好適な振動装置を提供することを目的とする。【解決手段】動作版と、モータとを備える振動装置であって、  前記動作版は、太ももを載置可能な大きさの平板であり、  前記動作版の太もも載置面は、クッション性の素材で構成されており、  前記モータは、地面から８ｃｍ以内の高さの範囲内で前記動作版の太もも載置面が上下運動するように構成されている、振動装置を提供する。【選択図】なし【特許請求の範囲】
【請求項１】
動作版と、モータとを備える振動装置であって、
前記動作版は、太ももを載置可能な大きさの平板であり、
前記動作版の太もも載置面は、クッション性の素材で構成されており、
前記モータは、地面から８ｃｍ以内の高さの範囲内で前記動作版の太もも載置面が上下運動するように構成されている、振動装置。
【発明の詳細な説明】
【技術分野】
【０００１】
本発明は、振動装置に関する。
【背景技術】
【０００２】
近年、貧乏ゆすり運動で脱力した状態の関節に刺激を与えることで、その関節周りの軟骨を再生できる可能性があることがわかってきている。そこで、貧乏ゆすり運動を補助する機器の開発が進められている。
【０００３】
例えば、特許文献１には、かかとに小刻みな振動を与えることで、脱力した状態の股関節周りに刺激を与えることができる下肢振動装置が提案されている。
【先行技術文献】
【特許文献】
【０００４】
【特許文献１】特開２０１３−２３６７５９号公報
【発明の概要】
【発明が解決しようとする課題】
【０００５】
しかしながら、特許文献１に記載の下肢振動装置は、脱力した状態の股関節周りに刺激を与えるためには適しているが、脱力した状態のそれ以外の関節周りに刺激を与えるには、装置の大きさや素材の観点で不向きであった。
そこで、本発明の振動装置は、脱力した状態の膝関節周りに刺激を与えるために好適な振動装置を提供することを目的とする。
【課題を解決するための手段】
【０００６】
本発明の振動装置は、
動作版と、モータとを備える振動装置であって、
前記動作版は、太ももを載置可能な大きさの平板であり、
前記動作版の太もも載置面は、クッション性の素材で構成されており、
前記モータは、地面から８ＣＭ以内の高さの範囲内で前記動作版の太もも載置面が上下運動するように構成されている。
【発明の効果】
【０００７】
本発明の振動装置は、ユーザが床に座った状態で又は床に寝た状態で使用可能であり、脱力した状態の膝関節周りに刺激を与えるために好適な振動装置を提供するものである。
【図面の簡単な説明】
【０００８】
【図１】図１は、貧乏ゆすり運動の膝関節への影響の説明を記載した図である。
【図２】図２は、貧乏ゆすり運動の膝関節への影響の説明を記載した図である。
【図３】図３は、貧乏ゆすり運動の膝関節への影響の説明を記載した図である。
【図４】図４は、貧乏ゆすり運動の膝関節への影響の説明を記載した図である。
【図５】図５は、振動装置を用いて貧乏ゆすり運動を引き起こす方法の説明を記載した図である。
【図６】図６は、振動装置を用いて貧乏ゆすり運動を引き起こす方法の説明を記載した図である。
【図７】図７は、振動装置を用いて貧乏ゆすり運動を引き起こす方法の説明を記載した図である。
【発明を実施するための形態】
【０００９】
図１〜図３は、貧乏ゆすり運動（ジグリング）の膝関節への影響の説明を記載した図である。
図１〜図３に記載されているように、貧乏ゆすり運動は、脱力した状態で行うだけで、股関節だけでなく膝関節症に対しても有効だと考えられている。
【００１０】
図４に記載されているように、膝関節症に対して行う貧乏ゆすり運動は、立ちながら行う方法と、寝ながら行う方法と、イスに座りながら行う方法との３種類がある。図４に記載されているような態勢で、１秒間に１〜４回程度の貧乏ゆすり運動を、１日合計６０分以上行うことが膝関節症に対して有効である。
【００１１】
膝関節症に対して行う貧乏ゆすり運動は、脱力した状態の膝関節周りに刺激を与えることによって優れた効果を発揮することができる。すなわち、膝関節周りに荷重がかからない状態で貧乏ゆすり運動を行うことが好ましいことから、上記の３つの態勢での貧乏ゆすり運動のうち、寝ながら行う方法が最も好ましい。
【００１２】
図５〜７には、振動装置を用いて貧乏ゆすり運動を人工的に引き起こし、脱力した状態の膝関節周りに刺激を与える方法が記載されている。
図５には、振動装置を用いた貧乏ゆすり運動が、膝関節症にも有効であることが記載されている。
図６には、貧乏ゆすり運動を行うことで、膝軟骨の再生が見られた方の報告が記載されている。
【００１３】
図７には、先行技術文献１に記載の振動装置と同様の振動装置を用いて貧乏ゆすり運動を人工的に引き起こす方法が記載されている。
使い方としては、イスに座って使用する方法と、床に座って使用する方法の２種類が記載されている。膝関節周りに荷重がかからない状態で貧乏ゆすり運動を行うことが好ましいことから、この中でも特に床に座って行う方法が好ましい。
【００１４】
図７に記載の振動装置の例としては、例えば、株式会社ワールド・ワイド・メディカルの「家庭用電気マッサージ器  健康ゆすり」が挙げられる。
【００１５】
床に座って行う方法では、振動装置の足を乗せる面（動作版の太もも載置面）の上に、タオルなどのクッション素材を敷いて使用する必要がある。これは、膝裏は人体の中でも多くの神経が存在する箇所であり、その神経を傷つけることを防ぐためである。
同様の理由から、振動装置の動作版の太もも載置面に足を乗せる際には、膝裏を直接乗せるのではなくて、太ももの裏あたりを乗せることが好ましい。
【００１６】
しかしながら、図７に記載の振動装置は、元々かかとを載せて使用することを想定して設計されている。そのため、そのまま使用すると、振動装置の動作版の大きさが足りず、ユーザの太もものすべてを載置することができない。
また、図７に記載の振動装置は、元々かかとを載せて使用することを想定して設計されているため、動作版の太もも載置面は硬質の素材で形成されている。そのため、そのまま使用すると、膝裏の神経を傷つけてしまうおそれがあり好ましくない。
【００１７】
そこで、本発明の振動装置は、
動作版と、モータとを備える振動装置であって、
前記動作版は、太ももを載置可能な大きさの平板であり、
前記動作版の太もも載置面は、クッション性の素材で構成されており、
前記モータは、地面から８ｃｍ以内の高さの範囲内で前記動作版の太もも載置面が上下運動するように構成されているものである。
【００１８】
動作版の大きさは、太ももを載置可能な大きさであれば特に制限されないが、例えば、幅が１５ｃｍ以上、１８ｃｍ以上、２０ｃｍ以上、２３ｃｍ以上、２５ｃｍ以上などであり、幅が５０ｃｍ以下、４０ｃｍ以下、３５ｃｍ以下、３０ｃｍ以下、２８ｃｍ以下などである。
【００１９】
前記動作版の太もも載置面の素材は、クッション性の素材であれば特に制限されないが、例えば、ポリウレタン等の発泡樹脂材料により成形されたウレタンフォーム、スポンジ、ポリエチレン繊維、タオル生地、ラテックスなどである。
【００２０】
本発明の振動装置は、地面から８ｃｍ以内の高さの範囲内で動作版の太もも載置面が上下運動するように構成されているものである。地面からの高さは、７ｃｍ以内であることが好ましく、５ｃｍ以内であることがさらに好ましい。
これは、振動装置が引き起こす貧乏ゆすり運動により、動作版の高さが高く上がってしまうと、膝関節周りに圧力がかかり、脱力した状態の膝関節周りに刺激を与えることができなくなってしまうからである。
【００２１】
振動装置の振動数は、特に制限されないが、例えば、６０回／分以上５００回／分以下であり、好ましくは１００回／分以上４００回／分以下であり、さらに好ましくは２００回／分以上３００回／分以下である。
振動数が小さすぎれば膝関節周りへの刺激が不足してしまうが、逆に振動数が大きすぎれば膝関節周りに圧力を強く与えてしまい膝関節周りの脱力状態を保つことができなくなる。
【図１】
2020068841.tif 000002
【図２】
2020068841.tif 000003
【図３】
2020068841.tif 000004
【図４】
2020068841.tif 000005
【図５】
2020068841.tif 000006
【図６】
2020068841.tif 000007
【図７】
2020068841.tif 000008